(57)【要約】【課題】取り付け易く、構成簡単な接地線の保護具を提案する。【解決手段】接地線の保護具３０が保護筒体３０Ａとその上部に挿着される接地表示部３０Ｂとで構成される。保護筒体には長手方向に沿ってスリット状割溝３４がある。割溝は既に防護柵１４に設置されている接地線２０を保護筒体の内部に割り込ませるためのものである。保護筒体の上部には接地表示部が挿着固定される。接地表示部は作業者に接地線設置位置を認識させるためのものである。これに加えて保護筒体の色を目立ちやすいカラーとすることもできる。既に設置されている接地線にこの保護具を付ける場合、接地表示部を外した保護筒体のスリット状割溝から接地線を割り込ませてから保護筒体の先端を大地に押し込み、保護筒体の上部に接地表示部を挿着固定する。こうすることで、草刈り機の回転歯が保護筒体に接触してもこの保護筒体によって接地線を確実に保護できる。【選択図】        図６
2006149036.tif 000002
【特許請求の範囲】
【請求項１】
接地線を保護する接地線の保護具であって、
上記接地線が差し込まれる保護筒体と、
この保護筒体の上部に挿着された設置表示部とで構成され、
上記保護筒体には上記接地線を差し込めるだけのスリット状割溝が形成された
ことを特徴とする接地線の保護具。
【請求項２】
上記保護筒体は、金属筒体又は硬質樹脂製筒体である
ことを特徴とする請求項１記載の接地線の保護具。
【請求項３】
上記保護筒体が金属筒体であるとき、上記割溝の各先端部は筒体内部側に丸められた
ことを特徴とする請求項２記載の接地線の保護具。
【発明の詳細な説明】
【技術分野】
【０００１】
この発明は接地線の保護具に関する。詳しくは、接地線特に送電線用鉄塔などに設けられた防護柵に使用される接地線を、スリットの入った保護筒体内に差し込んで使用することで、この接地線を切断事故から保護できるようにした接地線の保護具に関するものである。
【背景技術】
【０００２】
送電線用鉄塔などには、安全性を確保するためにその四周を囲繞するような金属製の防護柵が設けられている。この防護柵にはさらに不用意に身体が触れても安全なように防護柵が接地線を介して接地されている。この接地は、接地抵抗が１００Ω以下となるようなＤ種接地が法令により義務付けられている。
【０００３】
図８はその接地例を示す。鉄塔１０の脚１２より所定距離だけ離れて防護柵１４が敷設される。防護柵１４は図９に示すように鉄塔１０を囲繞するように鉄棒１６と金網１８によって張り巡らされて構成される。そして図１０のように１つの鉄棒１６に接地線２０が連結された上、大地２２に接地される。大地２２への接地は図１０のように鉄棒１６から２０〜３０cm離れるように接地される。
【０００４】
四脚を有する鉄塔ではないが、コンクリート柱を送電線支持物とするものにも装架された柱状設置機器に対しても接地線が接続されているので、この接地線に対する支持構造は知られている（例えば、特許文献１）。
【０００５】
この特許文献１に開示された技術は、接地線のコンクリート柱に対する固定手段であって、大地側には接地線を設置する工事作業のときに同時に挿着される筒状カバーが開示されている。このカバーは巻き付けバンドによってコンクリート柱に固定されている。接地線もコンクリート柱に接触した状態で固定されているので、このカバーは接地線切断防止用保護カバーではなく、単に接地線を確実にコンクリート柱に固定するための手段として採用されているに過ぎない。
【０００６】
【特許文献１】実開平６−４１３３２号公報
【発明の開示】
【発明が解決しようとする課題】
【０００７】
ところで、上述した鉄塔は送電経路によっては市街地近くに設置される場合も多く、このような場所には雑草２４が繁茂する（図１１参照）。雑草繁茂による近隣住民からの苦情が起きないように、さらには鉄塔に蔓草がからまりついたりすることがないように、定期的に雑草の草刈りを行うことが多い。この場合に使用されるのが草刈り機である。草刈りを行うような時期は雑草の背丈もあり、接地線はこの雑草の中に埋もれた状態にあって、雑草と接地線とにわかに峻別できない場合が多い。
【０００８】
さらに接地線用被覆ビニールは、緑色のビニール絶縁被膜などが使用されているため認識しにくさを助長している。そのため草刈り作業中、草刈り機によって接地線を切断する事故が多発している。接地線によって草刈り機の回転歯も損傷を受ける。
【０００９】
そこで、この発明はこのような従来の課題を解決したものであって、特に既に設置されている接地線を保護できるように、敷設が容易で、保護効果の高い構成簡単で、安価な接地線の保護具を提案するものである。
【課題を解決するための手段】
【００１０】
上述の課題を解決するため、請求項１に記載したこの発明は、接地線を保護する接地線の保護具であって、
上記接地線が差し込まれる保護筒体と、
この保護筒体の上部に挿着された設置表示部とで構成され、
上記保護筒体には上記接地線を差し込めるだけのスリット状割溝が形成された
ことを特徴とする。
【００１１】
この発明では、接地線の保護具がスリット状割溝が設けられた保護筒体と、その上部に挿着される接地表示部とで構成される。保護筒体には、その長手方向に沿って１条のスリット状割溝が形成されている。このスリット状割溝は既に防護柵に設置されている接地線を保護筒体の内部に差し込む（割り込ませる）ためのものである。したがって、このスリット状割溝の幅は接地線の径とほぼ同じか僅かに幅広となるように設定されている。
【００１２】
保護筒体は、金属製筒体か、硬質の樹脂製筒体を使用することができる。樹脂製筒体を使用する場合、所定幅の割溝を形成するだけで、これを接地線を割り込ませるための割溝として使用できる。金属製筒体を使用する場合には、割溝を構成する各対向端面は筒体の内側に丸められ、丸められた状態で所定の幅となるようになされている。
【００１３】
金属製筒体を丸め処理するのは、除草作業中にこの金属製筒体に草刈り機の回転歯が当たっても回転歯の歯欠けが起きないようにするためである。樹脂製筒体を保護筒体として使用する場合に、この樹脂製筒体として比較的硬質の樹脂を使用するのは、回転歯によって保護筒体が切断されないようにするためである。
【００１４】
保護筒体の上部には接地表示部が挿着固定される。接地表示部は、作業者に接地線の設置位置を認識させるための設置位置視認用として使用される。これに加えて保護筒体の色を目立ちやすいカラーとすることもできる。赤色など雑草と見分けが付くような配色の保護筒体とすることで、作業者に注意を喚起できる。
【００１５】
既に設置されている接地線にこの保護具を付ける場合、接地表示部を外した保護筒体のスリット状割溝から接地線を割り込ませ、その状態で保護筒体の先端を大地に押し込む。このときスリット状割溝は防護柵側を向くように押し込む方がよい。草刈り機の回転歯が間違って保護筒体に接触して回転歯の歯欠けなどの損傷を防止できるからである。
【００１６】
その後、必要に応じて保護筒体と、防護柵の鉄棒か金網との間に取り付けバンドを取り付けて保護筒体を防護柵に固定する。その後、またはバンド取り付け前に保護筒体の上部に接地表示部を挿着固定する。接地表示部の表示板は防護柵と並行するように取り付けられる。作業者の視認を容易にするためである。
【００１７】
保護筒体は、草刈り作業で草刈り機が当接するような大地からの位置以上あればよい。通常の場合、大地から５〜１０ｃｍ位を目処に草刈りが行われるものであるから、３０ｃｍ程度の長さとすれば充分に保護筒体として機能する。
【発明の効果】
【００１８】
この発明は、接地線の保護具を、スリット状割溝が形成された保護筒体とその上部に挿着される接地表示部とで構成したものである。
【００１９】
これによれば、保護筒体にスリット状割溝を設けることで、既に設置されている接地線に対する保護具としても使用できることである。保護筒体によって草刈り機の回転歯によって接地線が切断されるおそれはない。保護筒体が切断されなければ接地線が切断されるおそれはないからである。保護筒体が完全に切断されるまで、保護筒体の存在を認識できないということはあり得ないからである。
【００２０】
スリット状割溝に接地線を割り込ませるだけでよいから、既存の接地線に対して簡単に取り付けることができ、その設置作業も簡単で、短時間に取り付け作業を終了できる。保護筒体を設置することによる接地線切断防止効果が大きい。
もちろん保護筒体を交換するときもこのスリット状割溝から接地線を取り外すだけでよいから、その交換作業も簡単である。
【００２１】
保護筒体と接地表示部とで保護具を構成したので、構成部材が少なく、部材自身も安く手に入るので、安価にこの種保護具を提供できる。保護具に接地表示部を取り付けることで、作業者に接地線の設置位置を認識させることができるから、接地線の切断事故を未然に、かつ確実に防止できる特徴を有する。
【発明を実施するための最良の形態】
【００２２】
続いて、この発明に係る接地線の保護具の好ましい実施例を図面を参照して詳細に説明する。
【実施例１】
【００２３】
図１はこの発明に係る接地線の保護具３０の使用例を示す。この発明では鉄塔などの周囲に施設される防護柵に使用される接地線２０に対する保護具として機能する。
【００２４】
保護具３０は保護筒体３０Ａと、その上部に挿着固定される接地表示部３０Ｂとで構成される。接地線２０は、保護筒体３０Ａに設けられたスリット状割溝３４（後述する）から保護筒体３０Ａの内部に割り込ませるだけである。接地表示部３０Ｂは、接地線２０が埋設されていることを周知（喚起）させるためのものである。
【００２５】
図２はこの発明に係る保護具３０の一例を示す構成図である。この保護具３０は上述したように所定の長さと外径を有した保護筒体３０Ａと、その上部に挿着固定される接地表示部３０Ｂとで構成される。
【００２６】
保護筒体３０Ａは、その直径が４０ｍｍで、その長さＬａが３０ｃｍ程度の筒体である。保護筒体３０Ａにはその内部に接地線２０が収容されるものであるから、その直径は４０ｍｍ程度あれば充分であり、その長さＬａは大地２２にその一部が埋め込まれた場合でも大地２２より１０〜２０ｃｍ程度突出すれば充分であるので、３０ｃｍ程度の長さに選定されている。これは、草刈り機を使用して雑草を刈り取る場合、大地２２から５〜１５ｃｍ程度上を刈り取るものであるから、地上での長さは１０〜２０ｃｍあれば充分なため、その全体の長さは３０ｃｍ程度としても充分であると考えられるからである。
【００２７】
保護筒体３０Ａの筒体本体には図３にも示すようにその全長に亘り所定幅ΔＳとなされたスリット状割溝３４が形成されている。図４に示すようにスリット状割溝３４はこのスリット状割溝を通してその内部に接地線２０が割り込むことができる程度の幅ΔＳに選定されている。したがって幅ΔＳは接地線２０の外径とほぼ等しいか、これよりも若干広めに選定されている。したがって幅ΔＳは５〜１０ｍｍ程度の幅となる。
【００２８】
保護筒体３０Ａは、金属製筒体若しくは硬質な樹脂製筒体で構成することができる。図２は金属製筒体で保護筒体３０Ａを構成した場合である。金属製筒体は錆びにくい材質、例えば厚さ１ｍｍ程度のステンレス材を使用できる。
【００２９】
保護筒体３０Ａを金属製筒体で構成する場合には、図４に示すように割溝を構成する対向端面３４ａ、３４ｂのそれぞれは筒体内部に丸め込まれる。これは草刈り機の回転歯４０（図６参照）がこの保護筒体３０Ａに接触した場合でも、先端部３４ａ、３４ｂの鋭利な対向端面によって回転歯が歯欠けを起こさないように保護するためである。
【００３０】
図２に示すように、保護筒体３０Ａの上部には接地表示部３０Ｂが挿着固定される。この例では、挿着筒体３６と、そのキャップ３８と、このキャップ３８に取り付け固定された表示板３９とで構成される。その全体の長さＬｂはほぼ３０ｃｍ程度である。
【００３１】
表示板３９には例えば「接地」（又は「接地線位置」）なる文字が刻印されたプラスチック板などが使用され、これがキャップ３８の頂部に取り付け固定される。キャップ３８は挿着筒体３６に挿着固定できるようにキャップ３８の内径が挿着筒体３６の外径とほぼ同じ径となされている。
【００３２】
そして挿着筒体３６は図３に示すように、その内径Ｄｂが保護筒体３０Ａの外径Ｄａとほぼ同じ径に選定されたものが使用され、挿着筒体３６を保護筒体３０Ａの上部から挿着（差し込む）することで、挿着筒体３６を保護筒体３０Ａに容易に固定できるようになされている。
【００３３】
保護筒体３０Ａと接地表示部３０Ｂとを互いに連結すると、その断面図は図５のようになる。挿着筒体３６は、接地線２０が保護筒体３０Ａに割り込ました部分に近い位置まで挿着することで、挿着筒体３６を保護筒体３０Ａに強固に固定できる。
【００３４】
このように構成された保護具３０は、図１のように防護柵１４より１０〜２０ｃｍ（＝ΔＳ）離れて大地２２に接地された接地線２０に対する保護具として使用される。保護筒体３０Ａはその先端部が大地２２に押し込まれてこの大地２２に固定される。さらに図１に示すように取り付けバンド３２を使用して防護柵１４のうち鉄棒１６や金網１８に固定される。これによってより強固に防護柵１４に固定できる。
【００３５】
このときスリット状割溝３４が防護柵１４側を向くように保護筒体３０Ａを大地２２に押し込む方がよい。草刈り機の回転歯４０（図６参照）が間違って保護筒体３０Ａに接触しても回転歯４０の歯欠けをできるだけ防ぐことができるからである。また、接地表示部３０Ｂの表示板３９は防護柵１４と並行するように取り付けられる。作業者の視認を考慮したためである。
【００３６】
保護具３０を大地２２にその一部を埋設する（押し込む）ことで、その全長は５０ｃｍ程度になるから、実際に夏草などが繁茂し、成長すると、図６のように保護具３０はその一部を残して雑草２４に隠れてしまうことが多い。
【００３７】
しかし、接地表示部３０Ｂがあること、および保護筒体３０Ａ（および又は接地表示部３０Ｂ全体）として人の目に付きやすいカラーとすることで、作業者の目に留まり易くなるので、保護具３０の設置位置を視認し易くなる。仮に、視認できずに、草刈り機の回転歯４０を保護筒体３０Ａに接触してしまった場合でも、そのときの抵抗感（ショック）によって保護筒体３０Ａの存在を認識できるから、回転歯４０を即座に離間させることができ、大事には至ることがない。また、回転歯４０を僅かに接触させた位では、保護筒体３０Ａが切断されるようなおそれがないので、何れの場合でも接地線２０を確実に保護することができる。
【００３８】
接地表示部３０Ｂのうち挿着筒体３６やキャップ３８は何れも樹脂製筒体を使用することができる。
【００３９】
図ではこの発明を四角鉄塔における防護柵１４に適用したが、鉄塔の種類や形状、さらには防護柵１４の形状や大きさにはとらわれない。接地線２０は被覆されていても、裸線でも、この発明を適用できる。
【実施例２】
【００４０】
図１の実施例では保護筒体３０Ａとして金属製筒体を使用した場合である。これに対して図７の例は、保護筒体３０Ａを金属製ではなく、硬質な樹脂製の筒体（樹脂製筒体）で構成した場合である。
【００４１】
この場合には、図７に示すように割溝３４の各対向端面３４ａ、３４ｂは丸め処理する必要は特にない。樹脂製の筒体では歯欠けを起こすことがないと考えられるからである。
【００４２】
その他の構成は図２の場合と同様であるので、その詳細な説明は割愛する。使用する鉄塔の種類なども同様である。
【実施例３】
【００４３】
図２に示す保護具３０では接地表示部３０Ｂを、挿着筒体３６とキャップ３８および表示板３９で構成したが、キャップ３８と表示板３９とでこの接地表示部３０Ｂを構成することもできる。この場合にはその全体が所定長となるようにキャップ３８の長さが調整される。あるいは、保護筒体３０Ａを長くしてその全体が図２と同じ長さとなるように調整される。その他の構成は図２と同様であるので、その説明は割愛する。
【産業上の利用可能性】
【００４４】
この発明は、送電線用の鉄塔などに設けられた防護柵と大地との間に使用される接地線の防護具に適用できる。
【図面の簡単な説明】
【００４５】
【図１】この発明に係る防護具を防護柵に連結された接地線に適用した場合の使用状態の図である。
【図２】この発明に係る接地線の保護具の分解正面図である。
【図３】スリット状割溝を示す構成図である。
【図４】保護筒体の断面図である。
【図５】この発明に係る接地線の保護具の縦断面図である。
【図６】この発明に係る接地線の保護具と雑草との関係を示す図である。
【図７】この発明に係る他の例を示す保護筒体の断面図である。
【図８】鉄塔と防護柵との関係を示す図である。
【図９】その平面図である。
【図１０】接地線を備えた防護柵の構成図である。
【図１１】接地線と雑草との関係を示す図である。
【符号の説明】
【００４６】
１０・・・鉄塔
１４・・・防護柵
２０・・・接地線
２４・・・雑草
３０・・・保護具
３０Ａ・・・保護筒体
３０Ｂ・・・接地表示部
３２・・・取り付けバンド
３４・・・スリット状割溝
３４ａ、３４ｂ・・・先端部
３６・・・挿着筒体
３８・・・キャップ
３９・・表示板
【図１】
2006149036.tif 000003
【図２】
2006149036.tif 000004
【図３】
2006149036.tif 000005
【図４】
2006149036.tif 000006
【図５】
2006149036.tif 000007
【図６】
2006149036.tif 000008
【図７】
2006149036.tif 000009
【図８】
2006149036.tif 000010
【図９】
2006149036.tif 000011
【図１０】
2006149036.tif 000012
【図１１】
2006149036.tif 000013